(57)【要約】【課題】家庭内で不要となつた清涼飲料水入りのペットボトルの空き容器を固体の保存容器として再利用する際、必要となるジョウゴに関する物である。【解決手段】略お椀型に成形した円錐状１の下部は円筒状１ｂを一体に成型し、前記円筒状１の内側１ｃにペットボトル設置ネジ６を備え、また設置ネジ上部には、金属製、硬質樹脂等の硬質材で成形したストッパー板７を一体としたストッパー２を設置するためのストッパーガイド４を備え、また前記円筒状１ｂの外側には、前記ストッパー２を設置するための凸が一体成型されており、その先端部に前記ストッパー板７を一体とする前記ストッパー２を回転摺動可能に装着してある。以上の講成からなるペットボトル用固体ジョウゴ。【選択図】図１
2004131165.tif 000002
【特許請求の範囲】
【請求項１】
お椀型に成型した円錐状の下部は、ペットボトル設置ネジ及びストッパーを備えた円筒状を一体に有し、略お椀型に成型したジョウゴで有り、前記円筒状の内側注込筒の孔は平行に下方向に伸び、また前記円筒状には前記ペットボトル設置ネジ、及び前記円筒状中間部の適宜位置に設置したストッパーにより適当な位置で固体の流れをストップできるペットボトル用固体ジョウゴ。
【発明の詳細な説明】
【０００１】
【発明の属する技術分野】
本発明は、清涼飲料水入りのペットボトルの空き容器を固体保存容器として再利用する際必要となるジョウゴに関するものである。
【０００２】
【従来の技術】
家庭内で不要となったペットボトルの空き容器を、固体保存容器として再利用する際、ジョウゴまたは、紙などを円錐状に丸めて使用していた。その際、いずれも円錐状の為（テーパー）目詰まりを起こし使用しにくいものであった（図５に示す）。また注ごうとする容器の口にただ差し込むだけのため、不安定で容器が転倒する危険性があった。
【発明が解決しようとする課題】
【０００３】
本発明は上記課題に艦みてなされたもので、家庭内で不要となったペットボトルの空き容器を固体保存用の容器として再利用する際、容器としては十分な耐久性はあるのだが、入口が小径なためジョウゴまたは紙などを円錐状に丸めて使用していた。その際いずれも円錐状（テーパー）の為、目詰まりを起こし（図５に示す。）何度となく容器に振動をあたえたり、棒のような物で攪拌したりして使用していた。また注ごうとする容器の口にただ差し込むだけのため不安定で注入の際ジョウゴがふられ固体をこぼしたり、容器ごと転倒する危険性があった、また入れ過ぎた容器からジョウゴを取り外す際、固体をこぼしたりする欠点があった。
【０００４】
【課題を解決するための手段】
略お椀型に成形した円錐状の下部は円筒状を一体に成型したジョウゴであり、前記円筒状の内側注込筒の孔を平行に下側に伸ばす事で目詰まりを無くし、また一体成型した前記円筒状の内側には、ペットボトル設置ネジ、及び前記円筒状の外側には、ストッパー板を一体としたストッパーを設置するための凸が一体成型されており、その前記凸の先端部に前記ストッパー板を一体とする前記ストッパーを回転摺動可能に装着してある。以上の講成からなるペットボトル用固体ジョウゴ。
【０００５】
【発明の実施の形態】
次に、本発明のペットボトル用固体ジョウゴの実施形態を、図面を参照して説明する。図１は本発明の断面斜視図、図２は同本発明のＡ部の拡大断面斜視図。図７及び図８は本発明のペットボトル用固体ジョウゴの実施形態の斜視図、図６は同じく実施形態の状態の断面図である。
【０００６】
略お椀型に成形した円錐状１の下部は円筒状１ｂを一体に成型したペットボトル用固体ジョウゴ１０であり、前記円筒状１の内側の１ｃ側にはペットボトル設置ネジ６を備え、また前記設置ネジ上部にはストッパー２を設置するためのストッパーガイド４を備えたペットボトル用固体ジョウゴ１０は、前記円筒状１ｂの外側に金属製、硬質樹脂等の硬質材で成形したストッパー板７を一体とした前記ストッパー２を設置するための凸３が一体に成型されており、その前記凸３の先端部３ａに前記ストッパー板７を一体とする前記ストッパー２の凹２ｃを前記３ａ部に設置し、ピン４を挿入し回転摺動可能に装着してある（図３に示す）。以上の講成るからなるペットボトル用固体ジョウゴ。
【０００７】
前記円錐状１の内側１ａ下方５の孔は平行に下側に伸び、その下側に、前記ストッパーガイド４の凹みを設けてあり、その前記凹みに金属製、硬質樹脂等の硬質材で成形した前記ストッパー板７を回転摺動可能に装着（図２に示す）。以上の講成からなるペットボトル用固体ジョウゴ。
【０００８】
上記実施形態の他に次の構成としてもよい。つまりストッパー機能を無くしたペットボトル用固体ジョウゴ１３は、図４に示すように円錐状１１と内側にペットボトル設置ネジ６を備えた円筒状１２を一体に成型したペットボトル用固体ョウゴ。
【０００９】
【発明の作用】
「固体とは米粒程度の大きさを指す」本発明のペットボトル用固体ジョウゴは、家庭内で不要となったペットボトルの空き容器を固体保存容器として再利用する際、ジョウゴとして使用するもので、ペットボトルへの設置は図６に示すように、ペットボトル設置ネジにペットボトルのネジをねじ込み、ストッパー２を開き固体をジョウゴに流し込むと詰まる事なく、固体を流し込む事ができる。また一杯になったペットボトル容器を（図７に示す。）ジョウゴから取り外す際、固体がこぼれ落ちのを防ぐためにストッパー２を閉じ、ペットボトルに少し振動をあたえる事で少し固体が下がり適当な量になる（図８の１５に示す）。この様な状態であれば取り外す時に固体がこぼれ落ちる危険性は無くなる。また取り外したペットボトル用固体ジョウゴを別の容器に取り付けてストッパー２を開く事で、固体は容器内に落ちる（図６に示す）。以上で容器として再利用するペットボトルに容易に固体を保存できる。
【００１０】
また、新たなる構成によるペットボトル用固体ジョウゴは、ストッパー機能を無くしたペットボトル用固体ジョウゴ１３であり、その効果はストッパー機能を省いた上記載の効果が得られ、容器として再利用するペットボトルに容易に固体を存できる。
【００１１】
【発明の効果】
家庭内で不要となったペットボトルの空き容器を固体保存容器として再利用する際、本発明のペットボトル用固体ジョウゴを使用する事で、保存容器として使用するペットボトルに詰まる事なく個体を流し込む事ができる。また一杯になった容器をジョウゴから取り外す際、固体がこぼれ落ちる危険性があるがこれを防ぐためストッパーを閉じ、ペットボトルに少し振動をあたえる事で固体は少し下がり適当な量になる。この様な状態であれば取り外す時に固体がこぼれ落ちる事は無くなる。また取り外したペットボトル用固体ジョウゴを別のペットボトル容器に取り付けてストッパーを開く事で、固体は容器内に流れ込む。以上のように容器としてのペットボトルは液体の代わりに固体が容器内に入っているが、通常のペットボトルと同じ様に扱う事ができる。つまりキャップを付ける事で気密性が高まり、また透明なペットボトル容器の使用によって容易に中身を見る事ができ、冷蔵庫などにも容易に保存する事ができる。またペットボトルのリサイクルにもなる。
【００１２】
また、新たなる構成によるペットボトル用固体ジョウゴは、ストッパー機能を無くしたペットボトル用固体ジョウゴ１３であり、その効果はストッパー機能を省いた上記載の効果が得られ、容器として再利用するペットボトルに容易に固体を流し込む事ができる。その際ストッパー機能が無い為、固体の入れ過ぎに注意する必要があるが、上記載同様の効果が得られる。
【図面の簡単な説明】
【図１】本発明の断面斜視図。
【図２】同本発明のＡ部の拡大断面斜視図。
【図３】要部の斜視面図。
【図４】本発明の他の実施例を示す断面斜視図。
【図５】他の実施例を示す断面斜視図。
【図６】本発明の実施例を示す断面斜視図。
【図７】本発明の実施例を示す斜視図。
【図８】同じく本発明の実施例を示す斜視図。
【符号の説明】
２　　ストッパー
４　　ストッパーガイド
６　　ペットボトル設置ネジ
７　　ストッパー板
８　　容器ペットボトル
９　　固体
１０　　ペットボトル用固体ジョウゴ
１３　　ペットボトル用固体ジョウゴ
１４　　ジョウゴ
【図１】
2004131165.tif 000003
【図２】
2004131165.tif 000004
【図３】
2004131165.tif 000005
【図４】
2004131165.tif 000006
【図５】
2004131165.tif 000007
【図６】
2004131165.tif 000008
【図７】
2004131165.tif 000009
【図８】
2004131165.tif 000010